(57)【特許請求の範囲】
【請求項１】
上位装置から画像データを表示装置に転送して表示させる画像表示システムに於いて、
前記上位装置に、
ビットマップデータに展開された画像データを格納した上位装置用画像データ格納部と、
前記上位装置用画像データ格納部の画像データを読み出して圧縮する圧縮部と、
前記圧縮部で圧縮された画像データを表示装置に転送する上位側双方向インタフェースと、
を設け、
前記表示装置に、
上位装置から転送された圧縮画像データを受信する表示側双方向インタフェースと、
前記上位装置から転送された前記圧縮画像データの復号により元の画像データを復元する復号部と、
前記復号部で復号され表示装置用画像データ格納部に格納された画像データを読み出してディスプレイユニットに表示させる描画コントローラと、
を設け、
該描画コントローラは、
前記ディスプレイユニットに書込表示する表示ラインの順番を設定する表示ライン設定部と、
前記表示ライン設定部で設定された順番に従って、表示装置用画像データ格納部から画像ラインデータを読み出して該画像ラインデータを書込用ラインデータとしてラインデータ格納部に格納する読出部と、
前記読出部で画像ラインデータを読出す毎に、該画像ラインデータと前記ラインデータ格納部に格納した各書込用ラインデータとを比較して前記表示装置用画像データ格納部から読み出された前記画像ラインデータに書き込みを要する表示画素を含んでいる場合は表示装置用画像データ格納部から読み出された画像ラインデータを前記ディスプレイユニットに対する書込表示ラインとして検出する書込ライン検出部と、
前記書込ライン検出部で書込表示ラインであるとして検出した表示ラインに対応するディスプレイの表示ラインの全てへ同時に前記読出部で読み出した画像ラインデータを書き込んで表示させる表示駆動部と、
を備えたことを特徴とする画像表示システム。
【請求項２】
請求項１記載の画像表示システムに於いて、前記上位側及び表示側双方向インタフェースは、プリンタ用の双方向転送機能を備えたパラレルインタフェースであることを特徴とする画像表示システム。
【請求項３】
上位装置から画像データを表示装置に転送して表示させる画像表示システムに於いて、
前記上位装置に、
前記表示装置に転送する第１画像データ及び自己のディスプレイに表示する第２画像データを格納した上位装置用画像データ格納部と、
前記上位装置用画像データ格納部の第１画像データを読み出して圧縮する圧縮部と、
前記圧縮部で圧縮された第１画像データを表示装置に転送する上位側双方向インタフェースと、
上位装置自身のディスプレイに表示する前記上位装置用画像データ格納部の第２画像データを前記表示装置に送信する送信インタフェースと、
を設け、
前記表示装置に、
上位装置から転送された圧縮画像データを受信する表示側双方向インタフェースと、
前記上位装置から転送された前記圧縮画像データの復号により元の第１画像データを復元する復号部と、
前記復号部で復号され表示装置用画像データ格納部に格納された第１画像データを読み出してディスプレイユニットに表示させる描画コントローラと、
前記上位装置から送信された第２画像データを受信する受信インタフェースと、
前記受信インタフェースで受信した第２画像データを前記ディスプレイユニットに表示させるディスプレイ・コントローラと、
を設けたことを特徴とする画像表示システム。
【請求項４】
請求項３記載の画像表示システムに於いて、
前記上位側及び表示側双方向インタフェースは、プリンタ用の双方向転送機能を備えたパラレルインタフェースであり、
前記送信インタフェース及び受信インタフェースは、片方向転送機能を備えたディスプレイ用インタフェースであることを特徴とする画像表示システム。
【請求項５】
請求項３記載の画像表示システムに於いて、前記ディスプレイユニットは、表示パネルの表示画像を光学的にスクリーン上に投影して表示するプロジェクタ・ユニットであることを特徴とする画像表示システム。
【請求項６】
請求項５記載の画像表示システムに於いて、前記プロジェクタ・ユニットは、
前記描画コントローラにより描画される第１画像をスクリーンに投影表示する第１表示パネルと、
前記ディスプレイ・コントローラにより描画される第２画像をスクリーンに投影表示する第２表示パネルと、
スクリーン上における前記第１画像と第２画像の表示位置と表示サイズを調整する調整部と、
を備えたことを特徴とする画像表示システム。
【請求項７】
請求項６記載の画像表示システムに於いて、前記調整部は、前記第１表示パネル及び第２表示パネルの投影位置及び倍率を独立に調整可能な投影光学ユニットであることを特徴とする画像表示システム。
【請求項８】
請求項６記載の画像表示システムに於いて、前記描画コントローラは、スクリーン上に投影表示された第１画像に重ねて表示する第２画像の表示領域の相当する画像部分を黒データに変換して前記第１表示パネルに第１画像を描画し、第１画像の黒データ描画によるスクリーン上の画像の抜け部分に第２画像を投影表示させることを特徴とする画像表示システム。
【請求項９】
請求項８記載の画像表示システムに於いて、前記描画コントローラは、前記プロジェクタ・ユニットからスクリーンまでの距離、方向、倍率に基づいて、予め定めた第２画像の表示サイズに相当する画像データの領域を黒データに変換することを特徴とする画像表示システム。
【請求項１０】
請求項３記載の画像表示システムに於いて、前記描画コントローラは、
前記ディスプレイユニットに書込表示する表示ラインの順番を設定する表示ライン設定部と、
前記表示ライン設定部で設定された順番に従って、表示装置用画像データ格納部から画像ラインデータを読み出して該画像ラインデータを書込用ラインデータとしてラインデータ格納部に格納する読出部と、
前記読出部で画像ラインデータを読出す毎に、該画像ラインデータと前記ラインデータ
格納部に格納した各書込用ラインデータとを比較して前記表示装置用画像データ格納部から読み出された前記画像ラインデータに書き込みを要する表示画素を含んでいる場合は表示装置用画像データ格納部から読み出された画像ラインデータを前記ディスプレイユニットに対する書込表示ラインとして検出する書込ライン検出部と、
前記書込ライン検出部で書込表示ラインであるとして検出した表示ラインに対応するディスプレイの表示ラインの全てへ同時に前記読出部で読み出した画像ラインデータを書き込んで表示させる表示駆動部と、
を備えたことを特徴とする画像表示システム。
【請求項１１】
請求項１または請求項１０に記載の何れかの画像表示システムに於いて、前記読出部は、読み出したラインデータが前記ディスプレイユニットに書込みを必要とする表示画素を含むか否か検出する表示画素検出部を備え、表示画素を含まない場合は前記書込ライン検出部による処理及び前記表示駆動部による処理をスキップして次の表示ラインの読み出しを行うことを特徴とする画像表示システム。
【請求項１２】
請求項１または請求項１０に記載の何れかの画像表示システムに於いて、前記表示駆動部は、前記ディスプレイユニットに書き込まれていない表示画素にのみ書き込むことを特徴とする画像表示システム。
【請求項１３】
請求項１または請求項１０に記載の何れかの画像表示システムに於いて、前記表示駆動部は、既に書き込まれている表示画素にも重ねて書き込むことを特徴とする画像表示システム。
【請求項１４】
請求項１または請求項１０に記載の何れかの画像表示システムに於いて、前記書込ライン検出部は、検出された表示ラインの表示画素が既に全て書き込まれている場合には、該検出ラインを書込ラインから除外することを特徴とする画像表示システム。
【請求項１５】
請求項１または請求項１０に記載の何れかの画像表示システムに於いて、前記表示ライン設定部は、前記ディスプレイユニットの表示ラインを先頭から順番に指定して前記読出部によりラインデータを読み出させることを特徴とする画像表示システム。
【請求項１６】
請求項１または請求項１０に記載の何れかの画像表示システムに於いて、前記表示ライン設定部は、ラインデータに含まれる表示画素数の少ない順番に指定して前記読出部によりラインデータを読み出させることを特徴とする画像表示システム。
【発明の詳細な説明】
【０００１】
【発明の属する技術分野】
本発明は、ビットマップデータに変換された画像データをパーソナルコンピュータ等の上位装置から液晶プロジェクタ等の表示装置に転送して画像を表示させるための画像表示システムに関し、特にプリンタ用インタフェースのようなデータ転送速度の低い既存の双方向インタフェースを使用して画像を高速表示させる画像表示システムに関する。
【０００２】
【従来の技術】
従来、パーソナルコンピュータの表示装置としては、ＣＲＴディスプレイや液晶ディスプレイ等が多く利用されている。これらの表示装置はパーソナルコンピュータのディスプレイ用インタフェースに接続され、アナログＲＧＢ等の信号を転送して文字や画像を表示する。
【０００３】
また近年にあっては、パーソナルコンピュータにプロジェクタ装置を外部接続してプレゼンテーションを効率的に行うようにした画像表示システムが数多く実用化されている。プレゼンテーションでは、パーソナルコンピュータのフレームメモリに展開した文書や画像などのビットマップデータ（ドットデータ）による画面を、プロジェクタに転送して同じ画面内容をスクリーン上に投影表示させる。
【０００４】
プロジェクタは、通常、ハロゲンランプ等の光源と液晶パネル及びミラーやレンズ等の光学系等で構成される。表示駆動は、液晶パネルに表示したい画像を描画し、裏側から光源ランプで照らして透過した光でスクリーンに画像を投影して拡大表示する。液晶パネルとしては、アクティブドライブのＴＦＴ（Ｔｈｉｎ  Ｆｉｌｍ  Ｔｒａｎｓｉｓｔｏｒ）  液晶パネル等が使用されている。
【０００５】
【発明が解決しようとする課題】
しかしながら、現在、プロジェクタに使用したＴＦＴ液晶パネルで表示できる画素数は、６４０×４８０画素から１２８０×１０２４画素程度であり、このためパーソナルコンピュータ画面の文書や表をプロジェクタで拡大投影すると、画素数が少ないために文書や表などが読みにくくなる。
【０００６】
そのためプロジェクタを利用したプレゼンテーションではパーソナルコンピュータの文書等の画像をそのまま利用できず、プロジェクタで拡大表示した際に良く見えるように、例えば文字サイズを大きくした文書画像等を改めて作成しなければならない繁雑さがあった。
また、現状のプロジェクタは、パーソナルコンピュータのディスプレイ画面と同じ画面を投影表示しているため、画面検索や切換えに等に必要な補助情報が得られず、その結果、プレゼンテーションの最中や質疑応答の際の画面選択や説明がやりにくいという問題があった。
【０００７】
更に、現状のプロジェクタで表示できる画面は１つであり、文書やグラフ等の複数画面を１画面に入れて同時にスクリーン上に表示しようとしても、画面当りの画素数が少なくなるために画質が更に劣化し、画質を維持するためには画面切換えしかなく、プレゼンテーションの効率が悪いという問題もあった。
このようなプロジェクタの液晶パネルの画素数が少ない問題を解消するため、多画素・高解像度を実現する例えば相転移型液晶パネルを使用することが考えられる。相転移型の液晶パネルは、ＴＦＴ液晶等のアクティブマトリクス駆動の液晶表示パネルに比べ、単純マトリクス駆動で構造が簡単なため、多画素化と高精細化に適しており、現在では２５００×３５００画素以上のＡ４サイズが実用化されている。
【０００８】
相転移型液晶パネルは、透明なライン電極とデータ電極がマトリクス状に配置され、両者の交差位置の電極間に液晶材料を挟み込む構造になっている。また、マトリクス状の電極を電圧駆動するために、ライン電極ドライバとデータ電極ドライバの二つのドライバ回路を備えている。この相転移型液晶パネルの表示動作は、ライン電極ドライバで表示するライン電極を選択して電圧を印加する。
【０００９】
一方、データ電極ドライバは、書き込む画素データ中の表示する画素と表示しない画素に応じた電圧を印加する。選択されたライン電極上の各画素の液晶は、電圧が印加されなければ入射光が散乱されるコレステリック相になり、光の透過率が低い「黒」の表示になる。反対に、電圧が印加されれば、光の透過率が高いネマティック相に転移して透明な「白」表示になる。
【００１０】
このように、光の透過率の違いにより表示を行い、全ラインについて同様の処理を順番に繰り返すことで、画面全体の表示が達成される。また、相転移型液晶パネルはメモリ機能を持ち、一度書き込んだ表示データは保持電圧を印加しておくことにより、そのまま表示されている。
相転移型液晶パネルについての詳細は、例えば、
・相転移型プロジェクションディスプレイ（ディスプレイアンドイメージング，１９９２，  Ｖｏｌ．１，  Ｎｏ１，  ｐｐ．６１−６９．  ）
・Ａ５−Ｍｐｉｘｅｌ  ｏｖｅｒｈｅａｄ  ｐｒｏｊｅｃｔｉｏｎ  ｄｉｓｐｌａｙ  ｕｔｉｌｉｚｉｎｇ  ａ  ｎｅｍａｔｉｃ−ｃｈｏｌｅｓｔｅｒｉｃ  ｐｈａｓｅ−ｔｒａｎｓｉｔｉｏｎ  ｌｉｑｕｉｄ  ｃｒｙｓｔａｌ．  （Ｊｏｕｒｎａｌ  ｏｆ  ｔｈｅ  Ｓｏｃｉｅｔｙ  ｆｏｒ  Ｉｎｆｏｒｍａｔｉｏｎ  Ｄｉｓｐｌａｙ，  Ｖｏｌ．１，  Ｎｏ．１，  １９９３．  ｐｐ４３−４９．  ）
に記載される。
【００１１】
このように相転移型液晶パネルは、高解像度であり、光の透過率が高く画面が明るい反面、表示速度が遅く、ＴＦＴ液晶パネルに比較して画面の書換時間が遅いことが問題となっている。即ち、黒（散乱状態）から白（透明状態）に書き換えるためには数十ミリ秒かかり、逆に白（透明状態）から黒（散乱状態）に書き換えるためには数ミリ秒の書込時間を要する。例えば２５００ライン×３５００画素の相転移型液晶パネルを、初期化した後に画像を表示するためには、２０秒近くかかってしまう。
【００１２】
相転移型液晶パネルの画面書換え時間が遅い問題を解決するため、従来の表示制御では、前の画面と新しい画面のデータを常に比較し、異なる部分だけを書き換えることによって書換時間を短縮している（特開昭６１−１３８９９１号、特開平２−２１７８９３号、特開平７−５８４５号等）。
しかし、新しい画面と前の画面との異なる部分だけを書き換える従来の表示制御にあっては、動画のように連続する内容をもつ画面を切り換える場合には効果があるが、プレゼンテーション等のために主に静止画像を表示するプロジェクタでは、画面内容がその都度、全く異なってしまう場合が多く、前の画面と異なる部分だけを書き換えても書換時間の短縮は期待できず、この点の改善が必要となる。
【００１３】
更に、プロジェクタをパーソナルコンピュータに外部表示装置として接続して画面データを転送表示する場合、インタフェースに何を使用するかが問題になる。パーソナルコンピュータのディスプレイ用インタフェースは、アナログＲＧＢ等の信号を転送して文字や画像を表示する。しかし、ディスプレイ用インタフェースは、アナログで高速であるが片方向転送しかできず、表示装置からパーソナルコンピュータへの信号転送はできず、双方向転送を必要とするプロジェクタには使用できない。
【００１４】
パーソナルコンピュータ用のインタフェースとしては、この他にプリンタ装置を接続するためのＩＥＥＥ１２８４等のパラレルインタフェースが知られており、このインタフェースはディジタルで双方向のインタフェースであり、またビットマップデータを転送していることから、プロジェクタに対する画像データの転送に適している。
【００１５】
しかし、プリンタ用双方向インタフェースとして知られた例えばセントロニクスインタフェース等でプリンタにデータを送る場合、転送速度は１００Ｋバイト／秒程度であり、相転移型液晶パネルの多画素表示に相当する３００ｄｐｉのＡ４モノクロデータは、約１Ｍバイトとなるため、画像データの転送に１０秒程度の時間がかかる。パーソナルコンピュータ用のプリンタの印刷速度は、例えばインクジェットプリンタでＡ４、１枚当り３０秒から１分程度かかり、データ転送速度は問題にならない。
【００１６】
しかし、プロジェクタ等の表示装置では、表示速度の遅い相転移型液晶パネルでも、数秒で１画面を表示でき、プリンタ用双方向インタフェースでは、転送速度によって表示速度が制限されるという問題がある。このためパーソナルコンピュータに標準装備されているプリンタ用インタフェースを使用してプロジェクタを接続することができず、転送速度の高い専用のインタフェースを別途設けなければならず、汎用性に欠ける。
【００１７】
更に、相転移型液晶パネルの表示速度の改善が図られても、プリンタ用インタフェースではデータ転送速度が表示速度に追い付かず、表示速度がデータ転送速度により制約される問題が起きる。
本発明の目的は、プロジェクタ等の表示速度を制限することなく既存のプリンタ用インタフェースを使用して画像データを転送できる画像表示システムを提供する。
【００１８】
また本発明の他の目的は、表示装置としてプロジェクタを使用し、パーソナルコンピュータから主画面及び補助画面の２画面を転送してスクリーン上に個別の表示パネルを使用して高品質に表示できる画像表示システムを提供する。
さらに本発明の他の目的は、プロジェクタに相転移型液晶パネルを使用した場合の表示速度を高速化する画像表示システムを提供する。
【００１９】
【課題を解決するための手段】
図１は本発明の原理説明図である。本発明は、図１（Ａ）のように、上位装置１０としての例えばパーソナルコンピュータから画像データを表示装置１２に転送して表示させる画像表示システムである。上位装置には、ビットマップデータに展開された画像データを格納した画像データ格納部、画像データ格納部の画像データを読み出して圧縮する圧縮部、及び圧縮部で圧縮された画像データを表示装置に転送する双方向伝送機能を備えた第１インタフェースを設ける。
【００２０】
また表示装置１２には、上位装置１０から転送された圧縮画像データを受信する双方向伝送機能を備えた第２インタフェース、第２インタフェース部で受信した圧縮画像データの復号により元の画像データを復元する復号部、及び復号部で復号された画像データを可視化表示させるディスプレイユニットを設ける。
そして、描画コントローラは、ディスプレイユニットに書込表示する表示ラインの順番を設定する表示ライン設定部と、表示ライン設定部で設定された順番に従って、表示装置用画像データ格納部から画像ラインデータを読み出して画像ラインデータを書込用ラインデータとしてラインデータ格納部に格納する読出部と、読出部で画像ラインデータを読出す毎に、画像ラインデータとラインデータ格納部に格納した各書込用ラインデータとを比較して表示装置用画像データ格納部から読み出された画像ラインデータに書き込みを要する表示画素を含んでいる場合は表示装置用画像データ格納部から読み出された画像ラインデータをディスプレイユニットに対する書込表示ラインとして検出する書込ライン検出部と、書込ライン検出部で書込表示ラインであるとして検出した表示ラインに対応するディスプレイの表示ラインの全てへ同時に読出部で読み出した画像ラインデータを書き込んで表示させる表示駆動部と、を備えている。
ここで第１及び第２インタフェースには、双方向伝送機能を備えたプリンタ用のパラレル・インタフェースを使用する。また第１及び第２インタフェースのデータ転送速度に対し、ディスプレイユニットの表示速度が速い関係にある。
【００２１】
このように本発明の画像データ表示システムにあっては、上位装置と表示装置を接続するインタフェースのデータ転送速度が表示速度より低くとも、画像データを圧縮転送していることから、圧縮率に応じてデータ転送速度を増加させることができ、データ表示速度を制約することなく低速のプリンタ用インタフェースを使用して画像データを効率良く転送することができる。
【００２２】
また本発明の別の形態として、図１（Ｂ）のように、上位装置１０に、表示装置１２へ転送する第１画像データ及び自己のディスプレイに表示する第２画像データを格納した画像データ格納部、画像データ格納部の第１画像データを読み出して圧縮する圧縮部、圧縮部で圧縮された第１画像データを表示装置に転送する上位側双方向インタフェースに加え、上位装置自身のディスプレイに表示可能な画像データ格納部の第２画像データを表示装置１２に送信する送信インタフェースを設ける。
【００２３】
これに対応して表示装置１２には、上位装置１０から転送された圧縮画像データを受信する表示側双方向インタフェース、上位装置から転送された圧縮画像データの復号により元の第１画像データを復元する復号部、復号部で復号された第１画像データをディスプレイユニットに表示させる描画コントローラを設け、更に、上位装置１２から送信された第２画像データを受信する受信インタフェース、受信インタフェースで受信した第２画像データをディスプレイユニットに表示させるディスプレイ・コントローラを設ける。
【００２４】
この場合にも、上位側及び表示側双方向インタフェースは、プリンタ用の双方向転送機能を備えたパラレルインタフェースであり、一方、送信インタフェース及び受信インタフェースは、片方向転送機能を備えたディスプレイ用インタフェースである。更に、上位側インタフェースと表示側インタフェース間のデータ転送速度に対し、ディスプレイユニットの表示速度が速い関係にある。
【００２５】
本発明の表示装置のディスプレイユニットは、例えば表示パネルの表示画像を光学的にスクリーン上に投影して表示するプロジェクタ・ユニットである。プロジェクタ・ユニットは、描画コントローラで描画した第１画像をスクリーンに投影表示する第１表示パネル、ディスプレイ・コントローラで描画した第２画像をスクリーンに投影表示する第２表示パネル、及びスクリーン上における第１画像と第２画像の表示位置と表示サイズを調整する調整部を備える。
【００２６】
これによってプロジェクタのスクリーン上に各々独立した表示パネルの描画によって、２画面が投影表示できる。この場合、スクリーン上の第１画面がプレゼンテーションに使用するメインの拡大表示画面であり、その中に、サイズの小さな第２画面によって、プレゼンテーションの説明に必要なガイダンスや画面情報等の補助的な情報が鮮明に表示できる。
【００２７】
プロジェクタの調整部は、第１表示パネル及び第２表示パネルの投影位置及び倍率を独立に調整可能な投影光学ユニットである。具体的には、調整部は、スクリーン全体に前記第１表示パネルの第１画像を拡大表示すると共に、スクリーンの一部に第２表示パネルの第２画像を小さいサイズで重ねて表示する。この場合の第２画像の表示サイズは、上位装置に設けているディスプレイ画面と同じ程度のサイズとする。
【００２８】
２画面の重ね表示を適切とするため、描画コントローラは、スクリーン上に投影表示された第１画像に重ねて表示する第２画像の表示領域の相当する画像部分を黒データに変換して第１表示パネルに第１画像を描画し、第１画像の黒データ描画によるスクリーン上の画像の抜け部分に第２画像を投影表示させる。第１描画コントローラは、プロジェクタ・ユニットからスクリーンまでの距離、方向、倍率に基づいて、予め定めた第２画像の表示サイズに相当する画像データの領域を黒データに変換する。
【００２９】
プロジェクタ・ユニットは、第１表示パネル及び第２表示パネルとして、相転移型の液晶パネルを使用する。描画コントローラは、液晶表示パネルに書込表示する表示ラインの順番を設定する表示ライン設定部、表示ライン設定部で設定された順番に従って、画像データ格納部からラインデータを読み出す読出部、読出部でラインデータを読み出す毎に、そのラインデータと画像データ格納部の各ラインデータとを比較して液晶表示パネルに対する書込表示ラインを検出する書込ライン検出部、及び表示ライン検出部で検出した１又は複数の液晶表示パネルの表示ラインに、読出部で読み出したラインデータを書き込んで表示させる。
【００３０】
このような相転移型の液晶パネルの書込表示により、１回の書込みで同時に複数ラインの書込表示が行われ、全ラインの書込みを行う前、全画素の書込表示を完了することができる。特に、表示ラインに直交する方向に表示画素が並んでいるような画像データについては、各ラインに共通なラインデータによる同時書込みが効率的に行われ、極めて短時間で書込表示が完了する。例えば正方形や長方形の矩形画像にあっては、表示画素が現われる先頭ラインの書込処理のみで、全画素の書込表示が完了する。
【００３１】
また複数ライン対し共通に存在する数の多い表示画素の順番に、複数ラインの同時書込みによる表示が行われることとなり、書込初期では概略的に画像が現われ、時間の経過に伴って詳細な表示に切り換わっていくという階層的な表示機能を本質的にもっている。このため、画面検索等では、書込初期の段階で画像の概略を認識することができ、画面切換えによる検索もかなり高速でできる。
【００３２】
例えばグラフや表のように表示ラインに直交する罫線（縦罫線）を含む文書画像データにあっては、書込み初期の段階で、縦罫線が一括表示され、この画像が表やグラフを含んでいることが、直ちに認識できる。
ここで読出部は、読み出したラインデータが液晶パネルに書込みを必要とする表示画素を含むか否か検出する表示画素検出部を備え、表示画素を含まない場合は、書込ライン検出部及び表示部をスキップして次の表示ラインの読出しを行う。これによって表示画素を含まないラインデータは書込処理から除外され、その分、表示速度が向上する。
【００３３】
書込ライン検出部は、画像データ格納部の中から読出部による読出ラインデータと同じ表示ラインを検出する。これは、現在処理対象となっている表示ラインと他のラインとの表示画素の論理積を求めることに相当し、同一のラインデータを複数ラインに同時書込みすることで、表示速度が向上する。
また書込ライン検出部は、画像データ格納部の中から読出部による読出ラインデータを一部に含む表示ラインを検出する。これは、現在処理対象となっている表示ラインの表示画素を含む他のラインを検出し、処理対象ラインのラインデータを検出した複数ラインに同時に書き込むことで、１回に書き込む画素数を可能な限り多くして、表示速度を向上させる。
【００３４】
表示駆動部は、液晶パネルに書き込まれていない画素にのみ書き込む追加書込みを行う。また表示部は、既に書き込まれている画素にも重ねて書き込むこともできる。
書込ライン検出部は、検出された表示ラインの表示画素が既に全て書き込まれている場合には、この検出ラインを書込みラインから除外する。具体的には、書込みを行うごとに、画像データ格納部の中の書込済みの表示画素を消去し、書込みが済んでいない表示画素について表示処理を繰り返せばよい。
【００３５】
処理ライン設定部は、表示ユニットの表示ラインを先頭から順番に指定して読出部によりラインデータを読み出させる。またラインデータに含まれる表示画素数の少ない順番に指定してラインデータを読み出させてもよい。表示画素数の少ないラインデータほど、これを含む他のラインデータが多いことから、１回に書き込む表示ラインの数が増加し、より効率的な書込表示が期待できる。
【００３６】
更に本発明はプロジェクタそのものを提供する。このプロジェクタは、描画コントローラにより描画される第１画像をスクリーンに投影表示する第１表示パネル、ディスプレイコントローラにより描画される第２画像をスクリーンに投影表示する第２表示パネル、及びスクリーン上における第１画像と第２画像の表示位置と表示サイズを調整する調整部を備える。この場合も、描画コントローラは、スクリーン上に投影表示された第１画像に重ねて表示する第２画像の表示領域の相当する画像部分を黒データに変換して第１表示パネルに第１画像を描画し、第１画像の黒データ描画によるスクリーン上の画像の抜け部分に第２画像を投影表示させる。
【００３７】
【発明の実施の形態】
＜目  次＞
１．プリンタインタフェースによる多画素転送表示
２．相転移型液晶パネルの高速表示
３．プロジェクタ２画面の表示制御
１．プリンタインタフェースによる多画素転送表示
図２は本発明の画像表示システムの実施形態の説明図である。図２において、本発明の画像表示システムは、上位装置としてのパーソナルコンピュータ１０と、パーソナルコンピュータ１０の外部表示装置として接続されるプロジェクタ装置１２で構成される。パーソナルコンピュータ１０は液晶ディスプレイ１０−１を備えており、液晶ディスプレイ１０−１はＴＦＴ液晶パネルを用いたもので、例えば６４０×４８０画素から１２８０×１０２４画素程度の画素数を有する。
【００３８】
プロジェクタ装置１２は、パーソナルコンピュータ１０にインタフェースケーブル３４によって接続される。このパーソナルコンピュータ１０とプロジェクタ装置１２を接続するインタフェースは、パーソナルコンピュータ用のプリンタに使用されている双方向パラレルインタフェースを使用しており、例えばＩＥＥＥ１２８４に準拠したセントロニクスインタフェース等が使用される。
【００３９】
プロジェクタ装置１２は内部に液晶パネルを内蔵しており、パーソナルコンピュータ１０から転送された画像を液晶パネルに描画し、光源からの光の投射によって分離配置されたスクリーン１５上にプロジェクタ画像１２−１を表示する。本発明のプロジェクタ装置１２で使用している液晶パネルは、相転移型液晶パネルであり、その画素数は例えば２０００×２０００画素の４００万画素を実現しており、スクリーン１５上のプロジェクタ画像１２−１としては、Ａ４サイズで３００ｄｐｉのプリンタ印刷と同等な高画質を実現することができる。
【００４０】
図３は図２のプロジェクタ装置１２の実施形態である。図３のプロジェクタ装置１２はモノクロ画像の表示を例にとっており、コントロールユニット６２と光学ユニット６４を備える。光学ユニット６４はハロゲンランプ等を用いた光源６６を有し、光源６６からの光をディフレクタ６８で前方に照射している。光源６６からの光は集光レンズ７０で集光され、液晶パネル５２を透過した後、投影レンズ７２によりスクリーン１５上に拡大表示される。投影レンズ７２としては、必要に応じてオートフォーカス機構やズーム機構を設けることができる。
【００４１】
図４は図２のプロジェクタ装置１２の他の実施形態であり、このプロジェクタ装置１２はカラープロジェクタとしたことを特徴とする。プロジェクタ装置１２にはコントロールユニット１６２とカラー光学ユニット１６４が設けられている。カラー光学ユニット１６４はディフレクタ１６８を備えた光源１６６からの白色光を反射ミラー２００で反射した後、ダイクロイックミラー２０２に入射している。
【００４２】
ダイクロイックミラー２０２は波長選択性をもち、赤成分Ｒを反射し、それ以外の波長成分を透過する。ダイクロイックミラー２０２で反射された赤成分Ｒは、反射ミラー２０４から液晶パネル５２−１に入射される。液晶パネル５２−１はコントロールユニット１６２により赤成分Ｒの画像で描画駆動されており、したがって描画画像に対応した赤成分Ｒの画像光を出力する。
【００４３】
ダイクロイックミラー２０２を透過した赤成分Ｒ以外の光はダイクロイックミラー２０６に入射し、青成分Ｂが反射して他の波長成分は透過する。ダイクロイックミラー２０６で反射された青成分Ｂは液晶パネル５２−２を透過する。液晶パネル５２−２はコントロールユニット１６２により青成分Ｂの画像により描画されており、青成分Ｂの画像に対応した画像成分を出力する。
【００４４】
ダイクロイックミラー２０６を透過した光は残りの緑成分Ｇであり、緑成分Ｇは液晶パネル５２−３を透過する。液晶パネル５２−３は、コントロールユニット１６２により緑成分Ｒの画像データによる描画が行われており、緑成分Ｇの画像描画に対応した画像光を出力している。
液晶パネル５２−１からの赤成分Ｒの画像光と液晶パネル５２−２からの青成分Ｂの画像光は、ダイクロイックミラー２０８で合成される。続いてダイクロイックミラー２１２で液晶パネル５２−３からの反射ミラー２１０で反射された緑成分Ｇの画像光が合成され、これによりＲＧＢ３成分の合成画像光が得られる。最終的にＲＧＢ合成画像光は投影レンズ２１４に入射し、スクリーン１５上にカラー画像を投射して表示する。
【００４５】
図５は図２の画像表示システムの回路構成の実施形態である。上位装置としてのパーソナルコンピュータ１０にはＭＰＵ１４が設けられる。ＭＰＵ１４はシステムバス３０及びデータバス３２を有する。ＭＰＵ１４に対してはシステムバス３０を介してプログラムメモリとして機能するＲＯＭ１６及び、データメモリもしくはワークメモリとして機能するＲＡＭ１８が接続される。またＲＡＭ１８はデータバス３２にも接続される。
【００４６】
フレームメモリ２０には、出力表示する画像データがビットマップデータ（ドットデータ）に展開されて格納される。外部接続されるプロジェクタ装置１２に対する転送回路部として、圧縮部２２と上位側の双方向インタフェース２４が設けられる。圧縮部２２はプロジェクタ装置１２に転送する画像データを圧縮して双方向インタフェース２４に出力する。
【００４７】
圧縮部２２による圧縮アルゴリズムとしては、ビットマップデータ（ドットデータ）の圧縮法として知られたファクシミリ装置などと同じ例えばＭＭＲ符号化アルゴリズムを使用する。圧縮部２２による圧縮処理としては、ＭＰＵ１４によるソフトウェアとして実現してもよいし、専用のファームウェアもしくはハードウェアとして実現することもできる。
【００４８】
更にパーソナルコンピュータ１０には、ディスプレイインタフェース２６を介してディスプレイユニット２８が接続されている。ディスプレイユニット２８は図２の液晶ディスプレイ１０−１を備える。液晶ディスプレイ１０−１としてはＴＦＴ型液晶パネルを使用しており、画素数としては６４０×４８０画素から１２８０×１０２４画素程度である。ディスプレイインタフェース２６は周知のアナログインタフェースであり、ディスプレイユニット２８側にのみ画像データを転送できる片方向転送機能を有する。
【００４９】
パーソナルコンピュータ１０によるプロジェクタ装置１２に対する画像の出力表示は、ＲＡＭ１８に展開されたアプリケーションプログラムとしてのドライバモジュール１７を印刷メニューによって起動させることで実現できる。即ち、印刷メニューによるドライバモジュール１７の起動により、ＭＰＵ１４はフレームメモリ２０にプロジェクタ装置１２で表示するための画像情報をビットマップ展開する。
【００５０】
続いてビットマップ展開した画像データを例えば水平方向のラインデータ単位に圧縮部２２に読み出して、ＭＭＲ符号化などにより符号データに変換し、双方向インタフェース２４によりインタフェースケーブル３４を介してプロジェクタ装置１２に転送する。
ここでパーソナルコンピュータ１０とプロジェクタ装置１２を接続しているプリンタ用双方向転送機能を備えたパラレルインタフェース、即ちＩＥＥＥ１２８４準拠のインタフェースにあっては、データ転送速度が１００Ｋバイト／秒程度であり、プロジェクタ装置１２で表示させるＡ４サイズで３００ｂｐｓ相当の表示に必要なデータ量は約１Ｍバイトであることから、そのまま転送すると１０秒程度かかってしまう。
【００５１】
しかしながら、本発明の画像表示システムにあっては、フレームメモリ２０における１Ｍバイト程度の画像データを圧縮部２２においてＭＭＲ符号化して符号データに変換しているため、例えば圧縮率が１／２であったならば半分程度の５００Ｋバイトに圧縮でき、プロジェクタ装置１２の表示速度が例えば１画面当たり数秒であることから、このプロジェクタ装置１２の表示速度に見合ったデータ転送速度を実質的に実現することができる。
【００５２】
実際のＭＭＲ符号化にあっては、その圧縮率は１／２以下とすることができ、文書データなどの画像データであれば更に圧縮率が向上して、１，２分で１画面分の画像データをプロジェクタ装置１２に転送することができ、実質的にプロジェクタ装置１２の表示速度を十分上回る画像データの転送速度が実現できる。
次にプロジェクタ装置を説明する。プロジェクタ装置１２には、システムバス５８及びデータバス６０を備えたＭＰＵ３６が設けられ、ＭＰＵ３６に対しプログラムメモリとしてのＲＯＭ３８、プリンタ用双方向パラレルインタフェースの表示装置側の双方向インタフェース４０、復号部４２、フレームメモリ４４を接続している。
【００５３】
双方向インタフェース４０で受信されたパーソナルコンピュータ１０からの符号データは復号部４２に与えられ、ＭＭＲ復号化により元の画像データが復元され、フレームメモリ４４に格納される。フレームメモリ４４に格納された画像データは描画コントローラ４６により読み出され、ドライブコントローラ４８を介してディスプレイユニット５０に表示される。
【００５４】
ディスプレイユニット５０は液晶パネル５２、ライン電極ドライバ５４及びデータ電極デバイス５６を備える。液晶パネル５２としては、本発明にあっては、相転移型の液晶パネルを使用しており、その画素数は現在では２５００×３５００画素以上のＡ４サイズのものが実用化されているが、この実施形態にあっては２０００×２０００画素をもった４００万画素のものを使用している。
【００５５】
図６は図５のディスプレイユニット５０における液晶パネル５２の概略である。相転移型の液晶パネル５２は、Ｍ×Ｎ画素のマトリクス駆動型のデバイス構造をもっている。即ち、ライン電極ドライバ５４に接続された透明なライン電極Ｌ１〜ＬＮ  と、データ電極ドライバ５６に接続されたデータ電極Ｄ１〜ＤＭ  がマトリクス状に配置されており、両者の交差位置の電極間に液晶材料を挟み込んで、表示画素となる液晶セル７４−１１〜７４−ＭＮを形成している。
【００５６】
この相転移型液晶パネル５２の表示動作は、まずライン電極ドライバ５４に対するライン番号の指定でライン電極Ｌ１〜ＬＮ  の中から１または複数のラインを選択してライン電圧を印加する。同時にデータ電極ドライバ５６に対しては１ライン分のラインデータ即ちＭ個の画素データが与えられ、このライン画素データに応じた電圧をデータ電極Ｄ１〜ＤＭ  に印加する。例えば画素データ１でデータ電極に電圧が印加され、画素データ０で電圧の印加を解除する。
【００５７】
ライン電極ドライバ５６で選択されたライン電極上の各液晶セルは、データ電極ドライバ５６側の画素データ「０」により電圧が印加されなければ、入射光が散乱されるコレステリック相となり、光の透過率が低い黒の表示になる。反対にデータ電極ドライバ５６側から画素データ「１」に対応して電圧が印加されれば、光の透過率が高いネマティック相に転移し、透明な白表示となる。
したがってライン電極ドライバ５４で選択したライン電極の液晶セルに対するデータ電極ドライバ５６による画素データの１，０に応じた電圧印加の有無により、液晶セルの透過率を変えて画像をドットイメージにより表示する。更に相転移型の液晶パネル５２はメモリ機能をもち、一度液晶セルに書き込んだ表示データは、保持電圧を印加しておくことでそのまま表示状態を維持できる。
【００５８】
更に書込動作時間としては、保持電圧を解除して行う黒「１」から白「０」への書込みには数十秒かかり、また保持電圧を印加して行う白「０」から黒「１」への書込みには数ミリ秒かかる。通常、画像を書き込む前には液晶パネル５２の全セルを白「０」に初期化しておき、その後に画素データによる黒「１」の書込みを行う。
【００５９】
液晶パネル５２の初期化即ち全セルを白「０」に書き込むためには、ライン電極Ｌ１〜ＬＮ  の全てに電圧を加えた状態でデータ電極ドライバ５６による全てのデータ電極ドライバＤ１〜ＤＭ  の保持電圧をゼロボルトにすればよい。
再び図５を参照するに、図６のような２０００×２０００画素で合計４００万画素という極めて表示精度の高い多画素の液晶パネル５２をプロジェクタ装置１２に設けているため、図２のようにプロジェクタ装置１２によってスクリーン１５上に表示されるプロジェクタ画像１２−１は３００ｄｐｉのプリンタ印刷画像と同等な極めて高品質の画像表示とすることができる。
【００６０】
しかも１画面当たり約１Ｍバイトのデータ転送を既存のプリンタ用双方向パラレルインタフェースを使用して行っているが、この画像データの転送の際に圧縮を行うことで実質的にデータ転送速度を高め、データ転送速度に制約されることなく、プロジェクタ装置１２において高品質な画像を表示することができる。
２．相転移型液晶パネルの高速表示
図７は図５のプロジェクタ装置１２に設けた描画コントローラ４６の実施形態であり、本発明による画像表示方法による書込表示を相転移型の液晶パネル５２に対し行う。
【００６１】
描画コントローラ４６はタイミング制御部７８、表示ライン設定部８０、ラインデータ格納部８２、書込ライン番号検出部８４及びフレーム消去部８６で構成される。タイミング制御部７８は上位装置としてのパーソナルコンピュータ１０側からの書込起動信号Ｅ０を受けて、描画コントローラ４６及びメモリ制御部７６、更にはドライブコントローラ４８に対するタイミング信号を出力する。
【００６２】
ここで描画コントローラ４６は、書込起動信号Ｅ０を受けた際に、まず液晶パネル５２の全面消去による初期化を行った後に、画像データの書込表示を行う。また書込開始に先立って、フレームメモリ４４の表示画像メモリ領域４４−１には画像データが格納されている。
即ち、フレームメモリ４４は、表示画像メモリ領域４４−１とワークメモリ領域４４−２を備えており、画像データは表示画像メモリ領域４４−１にオリジナルとして保存されており、書込動作の際にはワークメモリ領域４４−２に展開し、書込画素の消去などの処理を行う。
【００６３】
描画コントローラ４６に設けた表示ライン設定部８０は、液晶パネル５２に対する書込ラインの順番を予め設定している。この実施形態にあっては、表示ライン設定部８０は、表示ラインの順番（昇順）又は画素数の少ない順に設定する。
表示ライン設定部８０による順番設定が行われた書込ラインの情報は、タイミング制御部７８からのタイミング制御信号を受けるごとにメモリ制御部７６をアクセスし、設定された書込ラインに対応する画像のラインデータをフレームメモリ４４のワークメモリ領域４４−２から読み出してラインデータ格納部８２に格納する。同時に、同じラインデータを書込ライン番号検出部８４に格納する。
【００６４】
書込ライン番号検出部８４は、ワークメモリ領域４４−２から順次読み出されるラインデータと、ラインデータ格納部８２に格納した現在処理対象となっている表示ラインのラインデータとを比較し、ラインデータ格納部８０のラインデータの表示画素、即ち黒「１」の画素データを書込ライン番号検出部８４に読み出したラインデータが含むか否か検出し、含んでいる場合には、そのラインを今回の書込ライン番号として検出する。
【００６５】
尚、書込ライン番号検出部８４にあっては、最初のラインデータ格納部８２に現在処理対象としているラインデータの格納時にも同じラインデータが入力されて比較されることから、現在処理対象となる表示ラインについても書込ライン番号検出部８４で書込番号の検出が行われている。
ここで現在処理対象となった書込ラインのラインデータをラインデータ格納部８２及び書込ライン番号検出部８４に格納した際に、ラインデータの中に表示画素を含まない場合には、これをタイミング制御部７８に通知し、このラインについては書込処理を行わずに、次の表示ラインの書込処理にスキップする。
【００６６】
書込ライン番号検出部８４でラインデータ格納部８２の現在処理対象となっているラインデータを含む書込ライン番号の検出が済むと、ドライブコントローラ４８に対しラインデータ信号Ｅ１及び書込ライン番号信号Ｅ２が供給され、ライン電極ドライバ５４とデータ電極ドライバ５６の駆動で液晶パネル５２にラインデータ格納部８２のラインデータを同時に書込表示する。
【００６７】
ドライブコントローラ４８による液晶パネル５２へのラインデータの書込みが済んだならば、フレーム消去部８６がメモリ制御部７６を介してフレームメモリ４４のワークメモリ領域４４−２に格納している画像データの中の書込画素を消去する。このような処理を表示ライン設定部８０で設定される表示ラインの順番に従って順次指定し、ワークメモリ領域４４−２の中に表示画素がなくなった時点で書込表示を終了する。
【００６８】
図８、図９及び図１０は、図７の実施形態による書込表示の動作説明図である。図８（Ａ）はフレームメモリ４４の表示画像メモリ領域４４−１であり、説明を簡単にするため、液晶パネル５２を８ライン×８画素の合計６４画素構成とした場合を例にとっている。ここで画像データにおける表示ラインＬ１〜Ｌ８の表示画素数は、右側に取り出して示すように、「０３４５５４３４」となる。この場合、表示ライン設定部８０はライン番号Ｌ１〜Ｌ８の順にライン選択順位を設定している。
【００６９】
図８（Ａ）の表示画像メモリ領域４４−１の画像データを液晶パネル５２に書込表示する場合、まず表示ラインＬ１が設定され、ワークメモリ領域４４−２よりラインＬ１のラインデータがラインデータ格納部８２及び書込ライン番号検出部８４に読み出される。しかしながら、ラインＬ１については表示画素が存在しないことから、ラインＬ１の書込表示は行わず、次のラインＬ２の処理に進む。
【００７０】
図８（Ｂ）は、ラインＬ２の書込表示における液晶パネル５２の表示内容とワークメモリ領域４４−２の書込後の消去状態を表わしている。まず表示ラインとしてラインＬ２が設定されると、図８（Ａ）の画像データと同じワークメモリ領域４４−２のラインＬ２のラインデータ「１１１０００００」が読み出され、ラインデータ格納部８２に格納されると同時に、書込ライン番号検出部８４に格納され、書込ラインとして最初のラインＬ２が検出される。
【００７１】
続いて次のラインＬ３のラインデータが読み出されて、書込ライン番号検出部８４でラインＬ２のラインデータと比較される。ラインＬ３にはラインＬ２の表示画素が含まれていることから、ラインＬ３が書込ラインとして検出される。残りのラインＬ４〜Ｌ８については、現在処理対象となっているラインＬ２の表示画素を全て含まないことから、書込ラインとしての検出は行われない。
【００７２】
このため液晶パネル４２のラインＬ２の書込動作では、書込ライン番号Ｌ２，Ｌ３の２ラインが指定され、ラインＬ２の表示画素であるデータ電極Ｄ１，Ｄ２，Ｄ３が１となって電圧が印加され、これによって液晶パネル４２に新規書込みが行われる。書込みが済むと、図８（Ｂ）のワークメモリ領域４４−２のように、ラインＬ２，Ｌ３の各々の３つの表示画素の消去が行われる。
【００７３】
そして消去後に次のラインＬ３が表示ライン設定部８０により設定され、図８（Ｃ）のラインＬ３のラインデータ「０００１１０００」による書込表示を行う。ラインＬ３のラインデータ「０００１１０００」の表示画素は、ラインＬ４〜Ｌ８に含まれていることから、このライン番号が検出され、ラインＬ３〜Ｌ８の６ラインに対する同じラインデータの同時書込みが行われる。そして書込画素が図８（Ｃ）のワークメモリ領域４４−２に示すように消去され、次のラインＬ４が設定される。
【００７４】
図９（Ｄ）はラインＬ４の設定による書込表示であり、この場合にはラインＬ４に加えてラインＬ８が検出され、ラインＬ４，Ｌ８の２ラインに同じラインデータの書込みが行われ、表示画素の消去後に次のラインＬ５が設定される。図９（Ｅ）はラインＬ５の書込表示であり、この場合は他のラインは検出されず、ラインＬ５のみの書込表示となる。
【００７５】
そして表示画素の消去後に次のラインＬ６が設定される。図９（Ｆ）はラインＬ６の書込表示であり、この場合にも他のラインは検出されず、ラインＬ６のみの書込表示となり、表示画素の消去後に次のラインＬ７が設定される。図１０  （Ｇ）はラインＬ７の書込表示であり、この書込みによりワークメモリ領域４４−２の表示画素は全て消去され、書込処理を終了する。
【００７６】
図１１は従来の書込表示と図７の実施形態による書込表示を対比したタイミングチャートである。図１１（Ａ）は従来の書込表示であり、８本の表示ラインＬ１〜Ｌ８ごとの書込表示、即ち８回の書込表示を必要とする。これに対し図１１（Ｂ）は図４の実施形態による書込表示であり、複数ラインの同時書込みによって書込回数を６回に減らすことができる。
【００７７】
また図８乃至図１０の液晶パネル５２における書込表示回数の進展に伴い、書込初期段階となる図８（Ｂ）（Ｃ）の段階では、図８（Ａ）における表示画像の概略的な書込表示が行われており、その後に図９乃至図１０のように詳細な追加書込みによる書込表示が進む。このため図８（Ｂ）における例えば書込回数の２回目ぐらいでほぼ全ラインに亘る部分的な画素表示が行われ、表示画面の概略を認識することができる。
【００７８】
この結果、画面切換えによる検索作業の際には書込表示の初期段階でその概略表示によって内容を把握することができ、必要とする検索画面の切換判断が迅速にでき、目的とする検索画面が得られたときに最後まで表示させればよい。
図１２は図７の実施形態における書込表示処理のフローチャートである。まずステップＳ１で、処理対象とするラインを設定するライン番号ｎをｎ＝１に初期化し、続いてステップＳ２でラインｎのラインデータを読み出す。続いてステップＳ３で、読出ラインｎのラインデータは表示画素を含むか否かチェックする。表示画素を含まない場合にはステップＳ７にスキップし、このラインの書込表示は行わず、次のライン番号にインクリメントする。
【００７９】
表示画素を含んでいる場合にはステップＳ４に進み、読み出したラインデータを含む他のラインを画像データから検出して選択する。続いてステップＳ５で、画像データの中から選択ラインの表示画素のデータ消去を行う。そしてステップＳ６で、液晶パネルに対し選択したライン番号について、現在処理中のラインデータの同時書込みを行う。
【００８０】
書込みが済むと、ステップＳ７でライン番号を１つインクリメントし、ステップＳ８で最終ラインでなければ、再びステップＳ３に戻り、次のラインの書込表示を行う。尚、図１２の処理にあっては、ステップＳ６で液晶パネルに検出された書込ラインに対するラインデータの同時書込みを行う前に、表示画素のフレームメモリに対する消去を行っているが、ステップＳ５，Ｓ６が入れ替わっても全く同じである。
【００８１】
図１３，１４は、図７のプロジェクタ装置１２側に設けた描画コントローラ４６の他の処理形態であり、書込表示を行う表示ラインの順番をラインデータの画素数の少ない順に設定するようにしたことを特徴とする。それ以外の構成及び機能はライン順に処理する実施形態と同じである。
まずフレームメモリ４４の表示画像メモリ領域４４−１には、図１３（Ａ）のような画像データが上位装置としてのパーソナルコンピュータ１０側から転送されて格納されている。描画コントローラ４６は書込起動信号Ｅ０を受けると、まず表示ライン設定部８０を起動し、フレームメモリ４４の表示画像メモリ領域４４−１より順次ラインデータを読み出し、各ラインの画素数をカウントする。
【００８２】
図１３（Ａ）にあっては、説明を簡単にするため、８ライン×８画素の６４画素の表示書込みを例にとっており、この場合、ラインＬ１〜Ｌ８の表示画素数は右側に取り出して示すように、「０３４５５４３４」となり、これが表示ライン設定部８０で検出される。このように表示画素数の検出ができたならば、表示画素数の少ない順番に選択順位を設定する。
【００８３】
ここでラインＬ１は表示画素がないことから、順位設定対象から除外される。そして残りのラインＬ２〜Ｌ８について、選択順位がＬ２，Ｌ７，Ｌ６，Ｌ３，Ｌ４，Ｌ５，Ｌ８の順番に設定される。なお、表示画素数が同じ場合にはライン番号の小さい方を優先させる。
このような書込表示のためのライン選択順位の設定が済むと、選択順位に従って図１３（Ｂ）（Ｃ）及び図１４（Ｄ）（Ｅ）に示す書込表示が行われる。図１３（Ｂ）は、図１４（Ａ）における選択順位１番のラインＬ２のラインデータの書込表示であり、この場合、同じデータを含むラインＬ３が検出されて同時書込みを行い、図１４（Ｂ）のワークメモリ領域４４−２のように、ラインＬ２，Ｌ３の表示画素を消去し、次に選択順位２番のラインＬ７を設定する。
【００８４】
図１４（Ｃ）はラインＬ７の書込表示であり、ラインＬ７のラインデータの表示画素を含むラインＬ４，Ｌ５及びＬ８が検出される。また、この実施形態にあっては、現在処理対象としているラインＬ７のラインデータ「００１１１０００」につき、既に書込済みのラインＬ２，Ｌ３のオリジナルデータ即ち図１１（Ａ）の表示画像メモリ領域４４−１に格納されたラインデータと比較し、この場合、ラインＬ３に現在処理対象となっているラインＬ７と同じ表示画素を含むことから、書込ラインとして検出する。
【００８５】
したがって、ラインＬ７のラインデータを用いた同時書込みは、ラインＬ３，Ｌ４，Ｌ５，Ｌ７，Ｌ８の５ラインについて同時に行われる。このときラインＬ３の３番目の画素については、図１３（Ｂ）の１回目に既に書込済みであることから、重ね書きを行うことになる。この表示書込みが済むと、図１３（Ｃ）のワークメモリ領域４４−２のように表示画素の消去を行い、次の選択順位３番となるラインＬ６を指定する。
【００８６】
図１４（Ｄ）はラインＬ６の書込表示であり、この場合、図１３（Ｃ）のワークメモリ領域４４−２の書込済み表示画素の消去済みの画像データについては同じラインデータを含む他のラインは存在しないが、オリジナルとなる図１３（Ａ）の画像データを参照すると、ラインＬ５に同じデータが一部含まれていることが分かる。
【００８７】
したがって、この場合にはラインＬ６とＬ５が検出され、ラインＬ６のラインデータを用いた同時書込みを行う。このため、ラインＬ５については既に書込みが済んでいることから、その一部が重ね書きとなる。この書込みが済むと、図１４（Ｄ）のワークメモリ領域４４−２のように、新規描画を行った表示画素を消去し、次の選択順位４番となるＬ３ラインを設定する。
【００８８】
しかしながら、ラインＬ３には表示画素がないことから、次の選択順位である５番のラインＬ４を設定する。ラインＬ４には表示画素が存在することから、図１４（Ｅ）の表示書込みを行う。この表示書込みにあっては、ラインＬ８が検出され、ラインＬ４のラインデータを用いたラインＬ１，Ｌ８の２ラインの同時書込みとなる。この書込みに伴い、図１４（Ｅ）のワークメモリ領域４４−２の画素消去で全ての表示画素が消去され、書込終了となる。
【００８９】
図１５は従来の書込表示と画素数の少ない順番に行う本発明による書込表示を対比したタイミングチャートである。図１５（Ａ）の従来書込みの８回に対し、図１５（Ｂ）の画素数の少ない順番の書込みにあっては、その半分の４回で書込表示を終了することができる。
図１６は画素数の少ない順番に表示ラインの順番を設定する画像表示制御のフローチャートである。まずステップＳ１で画像データの各ラインの画素数をカウントし、ステップＳ２で表示画素数の少ない順にラインを読み出す。続いてステップＳ３で現在処理中のラインｎのラインデータを含むラインを選択して検出し、ステップＳ４でワークメモリ領域中の画像データの選択ラインからラインｎの表示画素のデータを消去した後、ステップＳ５で、選択した複数ラインに現在処理中のラインデータの同時書込みを行い、これをステップＳ６で、全ラインを表示するまで繰り返す。
３．プロジェクタ２画面の表示制御
図１７は本発明の画像表示システムの他の実施形態であり、この実施形態にあっては、プロジェクタ装置によりスクリーン上にプリンタ印刷相当の高品質となるプリンタイメージ画面と、パーソナルコンピュータの表示画面であるＰＣ画面を同時に表示できるようにしたことを特徴とする。
【００９０】
図１７において、この画像表示システムは、上位装置としてのパーソナルコンピュータ１０と２画面表示機能を備えたプロジェクタ装置１００で構成される。プロジェクタ装置１００はパーソナルコンピュータ１０に対し、プリンタ用の双方向インタフェースケーブル９０とディスプレイ用片方向インタフェースケーブル９２で接続されている。
【００９１】
プロジェクタ装置１００は、スクリーン１５上に２０００×２０００画素の合計４００万画素の分解能をもつプリンタイメージ画面１０２と、パーソナルコンピュータ１０に設けている液晶ディスプレイ１０−１と同じ６４０×４８０画素（約３０万画素）から１２８０×１０２４画素（約１００万画素）の画素数をもつＰＣ画面１０４を同時に表示する。ＰＣ画面１０４はパーソナルコンピュータ１０の液晶ディスプレイ１０−１上の表示画面がそのまま表示できる。
【００９２】
図１８は図１７の実施形態におけるプロジェクタ装置１００による他の表示形態であり、スクリーン１５全体に４００００００画素の分解能をもつプリンタイメージ画面１０２を表示し、プリンタイメージ画面１０２の一部に重ねて３０００００画素から１００００００画素程度の分解能をもつＰＣ画面１０４を表示している。スクリーン１５上におけるプリンタイメージ画面１０２のサイズは、プロジェクタ装置１００における投影倍率を変えることで適宜に調整できる。
【００９３】
またＰＣ画面１０４も同様に、投影倍率を変えることでサイズを変更できるが、基本的にはパーソナルコンピュータ１０の液晶ディスプレイ１０−１と同サイズの画面であり、したがってサイズ固定の画面であってもよい。もちろん、ＰＣ画面１０４はスクリーン１５上の任意の位置に移動することができる。
図１９は図１７のプロジェクタ装置１００の実施形態であり、モノクロ画像の投影表示を例にとっている。プロジェクタ装置１００には、コントロールユニット１０６と第１光学ユニット１０８及び第２光学ユニット１１０が設けられる。第１光学ユニット１０８は光源１１２、ディフレクタ１１４、集光レンズ１１６、液晶パネル１１８及び投影レンズ１２０で構成され、光軸１１５によってスクリーン１５上に４００００００画素の分解能をもつプリンタイメージ画面を表示する。
【００９４】
第１光学ユニット１０８の液晶パネル１１８は、図２の実施形態のプロジェクタ装置１２に設けている液晶パネル５２と同じ図６に示した相転移型の液晶パネルである。第２光学ユニットは、光源１２２、ディフレクタ１２４、集光レンズ１２６、液晶パネル１２８、投影レンズ１３０で構成され、光軸１２５の方向となるスクリーン１５上にＰＣ画面を投影表示する。
【００９５】
第２光学ユニット１１０の液晶パネル１２８はＴＦＴ型液晶パネルであり、画素数は３０００００画素から１００００００画素程度のものを使用している。第１光学ユニット１０８及び第２光学ユニット１１０のそれぞれは、その光軸１１５，１２５の方向を上下左右に必要に応じて調整することができる。
図２０は図１９の光学ユニットの概略であり、プロジェクタ装置に設けている方向操作スイッチに基づいたモータ駆動で光軸方向を調整できるようにしている。まず第１光学ユニット１０８に対しては、水平旋回モータ１３２と垂直旋回モータ１３４が設けられ、操作者による方向調整により、対応するモータを水平回りまたは垂直回りに回動し、光軸１１５をスクリーン１５上の上下左右に調整し、任意の位置にプリンタイメージ画面１０２を表示することができる。
【００９６】
第２光学ユニット１１０も同様に水平旋回モータ１３６と垂直旋回モータ１３８を備え、操作者による方向調整スイッチの操作に応じ、モータ駆動によって第２光学ユニット１１０を水平回り及び垂直回りに回動し、光軸１２５をスクリーン１５上の任意の位置に向けてＰＣ画面１０４を表示することができる。
図２１は図２０の光軸調整の平面概略図であり、第１光学ユニット１０８及び第２光学ユニット１１０は軸１３３，１３５回りに水平旋回できる。したがって、図２０のようにスクリーン１５上にプリンタイメージ画面１０２とＰＣ画面１０４を並べて表示したい場合には、図示のように両者の光軸１１５，１２５を例えば平行状態とすればよい。
【００９７】
一方、図１８のようにプリンタイメージ画面１０２の中にＰＣ画面１０４を重ねて表示したい場合には、図２２のように第１光学ユニット１０８と第２光学ユニット１１０を軸１３３，１３５回りに回動し、光軸１１５，１２５がスクリーン１５上で例えば一致するように任意の方向に操作すればよい。
なお、図２０の調整機構はモータ機構を例にとっているが、操作者による調整ノブの回転操作によって第１光学ユニット１０８及び第２光学ユニット１１０の光軸１１５，１２５の方向をスクリーン１５上の任意の位置に向けるようにしてもよい。
【００９８】
図２３は図１７のプロジェクタ装置１００で使用する第１光学ユニット１０８と第２光学ユニット１１０の他の実施形態であり、光源を共用したことを特徴とする。即ち、第１光学ユニット１０８と第２光学ユニット１１０に対し光源１１２が共用光源として設けられ、集光レンズ１１３を介して得られた光源１１２からの光はハーフミラー１９０によって第２光学ユニット１１０に入射し、またハーフミラー１９０で分岐された光はミラー１９２により反射された第１光学ユニット１０８に入射している。
【００９９】
スクリーン１５に対する光軸１１５，１２５の位置を変えるためには、例えば投影レンズ１２０，１３０を光軸に直交する方向に移動すればよい。しかし、投影レンズ１２０，１３０の移動量が多いと、光軸ずれによりスクリーン１５上の画像の歪みが大きくなるため、投影レンズ１２０，１３０の移動範囲は、画像の歪みが目立たない範囲に抑える。
【０１００】
図２４は図１７の実施形態におけるパーソナルコンピュータ１０及びプロジェクタ装置１００の回路構成の実施形態のブロック図である。
パーソナルコンピュータ１０は、基本的には図５の実施形態と同じであるが、これに加えてプロジェクタ装置１００に対しディスプレイユニット２８の表示画像の画像データを転送するアナログ片方向転送機能をもったディスプレイ・インタフェース１３６を設けており、プロジェクタ装置１００をディスプレイインタフェース１３６にディスプレイ用片方向インタフェースケーブル９２を介して接続している。
【０１０１】
プロジェクタ装置１００は図５のディスプレイユニット５０を第１液晶ユニット３１０としており、更に第２液晶ユニット３１０を新たに設けている。第１液晶ユニット１１６は、第１液晶パネル５２として図６に示した相転移型の２０００×２０００画素（４００万画素）の多画素・高分解能の液晶パネルである。
これに対し第２液晶ユニット３２０は第２液晶パネル１５２を備え、第２液晶パネルは例えばＴＦＴ型の液晶パネルであり、６４０×４８０画素（３０万画素）から１２８０×１０２４（１３０万画素）のものを使用しており、パーソナルコンピュータ１０のディスプレイユニット２８に使用しているＴＦＴ液晶パネルと同じ画素数とすることが望ましい。この液晶パネル１５２に対しては、ライン電極ドライバ１５４とデータ電極ドライバ１５６が設けられている。
【０１０２】
パーソナルコンピュータ１０を接続したディスプレイ用インタフェースケーブル９２によるＰＣ画面表示のための画像データは、ディスプレイ・インタフェース３００で受信され、ディスプレイ・コントローラ１４０に入力され、第２液晶ユニット３２０を駆動してＰＣ画面の画像表示を行う。ディスプレイ・コントローラ１４０は、パーソナルコンピュータ１０のディスプレイユニット２８に設けているコントローラと同じものが使用される。
【０１０３】
更にプロジェクタ装置１００のＭＰＵ３６のシステムバス５８に対しては、モードスイッチ１４５が設けられている。モードスイッチ１４５は次の３つの表示モードを切り換える。
モード１；プリンタイメージ画面とＰＣ画面の同時表示
モード２；プリンタイメージ画面のみの表示
モード３：ＰＣ画面のみの表示
具体的には、モードスイッチ１４５によりモード１を設定すると、描画コントローラ４６とディスクプレイ・コントローラ１４０の両方が動作して第１表示ユニット３１０の描画によるプリンタイメージ画面の表示と第２液晶ユニット３２０の描画によるＰＣ画面の表示が行われる。
【０１０４】
モードスイッチ１４５によりモード２を設定すると描画コントローラ４６が動作し、ディスプレイ・コントローラ１４０がオフとなり、第１液晶ユニット１１６によるプリンタイメージ画面のみの表示となる。更にモードスイッチ１４５でモード３を選択するとディスプレイ・コントローラ１４０が動作し、描画コントローラ４６がオフとなり、第２液晶ユニット３０２によるＰＣ画面の表示のみとなる。
【０１０５】
次に図２４のプロジェクタ装置１００におけるモードスイッチ１４５でモード１を設定してプリンタイメージ画面とＰＣ画面を同時表示したときの重ね合わせ表示処理を説明する。
図２５はスクリーン１５上に表示したプリンタイメージ画面１０２に対するＰＣ画面１０４の表示例であり、図２５（Ａ）はＰＣ画面をプリンタイメージ画面１０２の左下隅に表示しており、図２５（Ｂ）はＰＣ画面１０４をプリンタイメージ画面１０２の右上隅に表示しており、更に図２５（Ｃ）はＰＣ画面１０４を拡大表示させている。
【０１０６】
このようなスクリーン１５上におけるプリンタイメージ画面１０２に対するＰＣ画面１０４の表示位置は、基本的にはスクリーン１５上でセッティングされる。この場合、位置決めの基準点として例えばプリンタイメージ画面１０２の左上隅を原点Ｑとしており、同様にＰＣ画面１０４についても、その左上隅を原点Ｐとしている。したがって、プリンタイメージ画面１０２上におけるＰＣ画面１０４の位置は、Ｑ点を原点としたプリンタイメージ画面の二次元座標に対するＰＣ画面１０４の原点Ｐの座標値で設定することができる。
【０１０７】
図２５（Ａ）〜（Ｃ）のようなプリンタイメージ画面１０２の中に重ねてＰＣ画面１０４を表示した場合、ＰＣ画面１０４の表示部分についてプリンタイメージ画面１０２の画像をそのまま表示していると２画像の重ね合わせ表示となり、ＰＣ画面１０４の表示内容が分からなくなる。そこで本発明にあっては、プリンタイメージ画面１０２に対するＰＣ画面１０４の表示位置を検出し、フレームメモリ上のプリンタイメージ画面の画像データの中からＰＣ画面の表示領域の画素データを全て黒データに変換する処理を行う。
【０１０８】
このプリンタイメージ画面の中のＰＣ画面の表示領域の黒データへの変換は、例えば図２６のように、パーソナルコンピュータ１０の液晶ディスプレイ１０−１の画面を使用して行われる。即ち、パーソナルコンピュータ１０の液晶ディスプレイ１０−１にプロジェクタ装置１００で表示させるプリンタイメージ画面１６２を表示し、オペレータがマウス操作によりカーソル１６６をプリンタイメージ画面１６２上のＰＣ画面設定領域１６４の原点Ｐにセットする。
【０１０９】
このときＰＣ画面のサイズＬｘ，Ｌｙが予め決まっていることから、マーカ１６６によるＰ点のセットによる変換操作で、斜線のように領域１６４の画像データが黒データに変換される。このプリンタイメージ画面の画像データからＰＣ画面に対応した領域を黒データに変換するための処理は、図２６のパーソナルコンピュータの液晶ディスプレイを使用したオペレータによる指示に基づく手動処理と、プロジェクタ装置１００側における第１及び第２光学ユニットの調整状態から得られた制御パラメータに基づく自動処理の二つがある。
【０１１０】
図２７はオペレータの指示に基づく手動処理のフローチャートである。まずステップＳ１で、図２６のように、パーソナルコンピュータ１０の液晶ディスプレイ１０−１にプロジェクタ装置でスクリーン上に表示するプリンタイメージ画面を縮小して表示する。次にステップＳ２で、オペレータがマウスによりＰＣ画面を設定する表示したプリンタイメージ画面上の任意の一点を指示すると、その指示点Ｐのアドレス（ｘ，ｙ）が検出される。
【０１１１】
続いてステップＳ３で、指示点Ｐ（ｘ，ｙ）を起点として予め定めたＰＣ画面サイズ（Ｌｘ，Ｌｙ）の範囲１８４を黒データに変換する。最終的に、黒データに変換されたプリンタイメージ画面をプロジェクタ装置１００によりスクリーン上に投影し、投影スクリーン上で黒くなった部分にＰＣ画面が嵌まるように、オペレータがプロジェクタ装置に設けているＰＣ画面用の第２光学ユニット１１０の向きを調整する。
【０１１２】
図２８はプリンタイメージ画面にＰＣ画面を表示するための領域を黒データに変換する際の自動処理を可能とするプロジェクタ装置１００の実施形態である。このＰＣ画面の表示領域を黒データに変換するため、プロジェクタ装置１００の第１及び第２光学ユニット１０８，１１０のそれぞれは、オートフォーカス機構１６６，１６８を備えている。
【０１１３】
更に第２光学ユニット１１０にあっては、光軸１２５の水平回り及び垂直回りの方向を検出する方位センサ１７０を備えている。ＰＣ画面領域のプリンタイメージ画面の画像データを黒データに変換する際には、スクリーン１５上に第１光学ユニット１０８によってプリンタイメージ画面を表示し、この状態で第２光学ユニット１１０によりＰＣ画面をスクリーン１５上に投影表示する。
【０１１４】
第２光学ユニット１１０の表示動作を行うと、そのオートフォーカス機構１６８が動作し、スクリーン１５上に光学像を結像するように焦点制御が行われる。このオートフォーカス機構１６８による自動焦点制御によって、コントロールユニット１０６の距離検出部１７２は、スクリーン１５までの距離を検出することができる。
【０１１５】
更に第２光学ユニット１１０の光軸１２５をスクリーン１５に対し任意に調整し、第１光学ユニット１０８によって表示しているプリンタイメージ画面の任意の位置にＰＣ画面がくるように光軸１１５を調整する。この第２光学ユニットのＰＣ画面の位置を決める調整結果は、方位センサ１７０により水平回り及び垂直回りの方位情報として得られ、コントロールユニット１０６に設けた方位検出部１７４がスクリーン１５に対する第２光学ユニット１１０の光軸１２５の方向を検出する。
【０１１６】
このようにコントロールユニット１０６で検出されたスクリーン１５までの距離及び光軸１２５の方位情報は、図２３のプロジェクタ装置１００からプリンタ用双方向インタフェースケーブル９０を介してパーソナルコンピュータ１０のＭＰＵ１４側に転送される。ＭＰＵ１４にあっては、スクリーンに対するＰＣ画面の光軸の方向と距離からプリンタイメージ画面における原点位置Ｐ（ｘ，ｙ）を検出し、予め決められたＰＣ画面サイズ（Ｌｘ，Ｌｙ）の領域を黒データに変換する。
【０１１７】
更に図２５（Ａ）（Ｂ）はＰＣ画面１０４の倍率を１としたい場合であったが、図２５（Ｃ）のようにＰＣ画面１０４の倍率を大きくしたい場合には、図２８のコントロールユニット１０６において、第２光学ユニット１１０の拡大倍率を検出してパーソナルコンピュータ１０側に送り、パーソナルコンピュータ１０側にあってはＰＣ画面の設定サイズＬｘ，Ｌｙを、検出した倍率により拡大して、拡大した領域を黒データに変換する。
【０１１８】
図２９は、図２８のプロジェクタ１２側での焦点距離及び光軸方位情報に基づいたＰＣ画面に相当するプリンタイメージ画面の領域の黒データ変換の自動処理のフローチャートである。まずステップＳ１で、オートフォーカス機構によるＰＣ画面のスクリーンに対する自動焦点制御即ちピント合わせが行われることから、これに基づきスクリーンまでの距離を検出する。
【０１１９】
続いてステップＳ２で、オペレータがスクリーン上のＰＣ画面用の投影レンズ即ち第２光学ユニット１１０の調整による光軸の向きを検出する。ステップＳ１，Ｓ２で検出されたスクリーンまでの距離及びＰＣ画面を投影する第２光学ユニット１１０の光軸の方位の各情報は、ステップＳ３でパーソナルコンピュータ１０側に転送され、プリンタイメージ画面内におけるＰＣ画面の位置を推定し、ステップＳ４で、倍率に応じたＰＣ画面表示領域サイズＬｘ，Ｌｙの領域を黒データに変換するデータ黒抜きを行う。
【０１２０】
もちろん、ステップＳ４でプリンタイメージデータの黒抜きが済んだならば、黒抜き済みの画像データをプロジェクタ装置１２に送ってスクリーン上に表示させ、黒抜き領域に対するＰＣ画面の最終的な位置合わせはオペレータが行えばよい。
尚、図１７の実施形態にあっては、図１９のように、モノクロ用の第１光学ユニット１０８と第２光学ユニット１１０を設けた場合を例にとっているが、図４に示したカラー光学ユニット２６４と同じ第１カラー光学ユニットと第２カラー光学ユニットを設け、カラープリンタイメージ画面及びカラーＰＣ画面をスクリーン上に表示できるようにしてもよい。
【０１２１】
また図２４の実施形態にあっては、ＰＣ画面をスクリーン上に表示する第２液晶ユニット３２０としてＴＦＴ型の液晶パネルを第２液晶パネル１５２として使用しているが、第１液晶パネル５２と同じ相転移型の液晶パネルを使用してもよいことは勿論である。
更に図２４の第１液晶ユニット１１６に設けている相転移型の第１液晶パネル５２の書込表示を行う描画コントローラ４６としては、図５の描画コントローラ４６の場合と全く同様、図７乃至図１６に示した高速書込制御を行うことで、１画面当たりの表示時間を大幅に短縮した高速表示を実現することができる。
【０１２２】
また図１７のプリンタイメージ画面１０２とＰＣ画面１０４を同時表示できるプロジェクタ１００を用いた画像表示システムにあっては、例えばパーソナルコンピュータ１０で準備した画像情報を用いたプレゼンテーションの際には、メインとなるプレゼンテーション画像をプリンタイメージ画面１０２により表示し、補助的なプレゼンテーション情報をＰＣ画面１０４に表示すればよい。
【０１２３】
またＰＣ画面１０４の表示情報としては、メインとなるプリンタイメージ画面１０２の切換えや説明等に使用する補助的な情報を表示し、説明者はＰＣ画面１０４を見ながらプリンタイメージ画面１０２の内容を説明すればよい。もちろん、プリンタイメージ画面１０２とＰＣ画面１０４の使い方は、必要に応じて適宜の形態をとることができる。
【０１２４】
更に上記の実施形態は、パーソナルコンピュータ１０に接続される外部装置としてプロジェクタ装置１２を例にとるものであったが、本発明はこれに限定されず、パーソナルコンピュータ１０からのデータ転送速度を超える表示速度をもつ適宜の表示装置を外部接続した画像表示システムについて、そのまま適用することができる。
【０１２５】
また上記の実施形態におけるプロジェクタ装置１２としては、プロジェクタ装置１２に対しスクリーン１５を分離して前方に配置したフロントプロジェクタを例にとるものであったが、キャビネットの表示部にレンティキュラスクリーンを配置し、内蔵したディスプレイユニットからの光を投射するリア・プロジェクタであってもよいことは勿論である。
【０１２６】
【発明の効果】
以上説明してきたように本発明によれば、パーソナルコンピュータに標準装備されている既存のプリンタ用双方向インタフェースをそのまま使用して、圧縮された画像データを外部接続された表示装置例えばプロジェクタ装置に転送することで、インタフェースのデータ転送速度が表示装置の表示速度より低くとも、データ転送速度によって表示速度が遅くなってしまう問題を解消し、効率的な画像データの転送表示が実現できる。
【０１２７】
更に本発明の画像表示システムにあっては、パーソナルコンピュータに外部接続された例えばプロジェクタ装置によりスクリーン上に独立した２画面を投影表示し、一方の画面はプリンタ用双方向インタフェースを用いた圧縮伝送による多画素・高品質の画面とし、もう一つの画面はパーソナルコンピュータのディスプレイ用片方向インタフェースにより転送した画素数の少ない例えばパーソナルコンピュータ画面そのものとする。
【０１２８】
これによって、プレゼンテーションの際にメインとなるプリンタイメージ画面に対し補助画面としてＰＣ画面を表示して、プレゼンテーションの説明に必要なガイダンスや画面情報などの補助的な情報をスクリーン上で鮮明に表示することができ、より効率的なプレゼンテーションを行うことができる。
更にプリンタイメージ画面を表示する多画素・高分解能の相転移型液晶パネルの書込表示につき、１回の書込みで同時に複数ラインの書込表示を行うことで、全ラインの書込時間を必要とすることなく、全画素の書込表示を完了でき、相転移型の液晶パネルのネックとなっている表示速度の遅さを解消し、多画素による高分解能と表示速度の向上の両立を図ることができる。
【図面の簡単な説明】
【図１】本発明の原理説明図
【図２】本発明の実施形態の説明図
【図３】モノクロ画像を表示する図２のプロジェクタ装置の説明図
【図４】カラー画像を表示する図２のプロジェクタ装置の説明図
【図５】図２のパーソナルコンピュータとプロジェクタ装置の回路実施形態のブロック図
【図６】図５の相転移型の液晶パネルの概略説明図
【図７】図５の描画コントローラの機能ブロック図
【図８】図７の書込表示の処理内容の説明図
【図９】ライン順に処理する図７の書込表示の処理内容の説明図（続き）
【図１０】図７の書込表示の処理内容の説明図（続き）
【図１１】図７の書込表示動作の回数を従来と対比したタイミングチャート
【図１２】図４の書込表示処理のフローチャート
【図１３】画素数の少ないライン順に処理する図７の書込表示の処理内容の説明図
【図１４】画素数の少ないライン順に処理する図７の書込表示の処理内容の説明図（続き）
【図１５】図１３，１４の書込表示動作の回数を従来と対比したタイミングチャート
【図１６】図１３，１４の書込表示処理のフローチャート
【図１７】スクリーンに２画面を表示する本発明の実施形態の説明図
【図１８】図１７の他の表示形態の説明図
【図１９】図１７のプロジェクタ装置の説明図
【図２０】プロジェクタ装置に設けた光学ユニットの調整機構の説明図
【図２１】スクリーンに２画面を並べて表示する光学ユニットの調整状態の説明図
【図２２】スクリーンに２画面を重ねて表示する光学ユニットの調整状態の説明図
【図２３】スクリーンに２画面を表示する光学ユニットの他の実施形態の説明図
【図２４】図１７のパーソナルコンピュータとプロジェクタ装置の回路実施形態のブロック図
【図２５】スクリーンのプリンタイメージ画面に対するＰＣ画面の重ね表示の説明図
【図２６】プリンタイメージ画面に設定したＰＣ画面領域の黒データ変換の手動処理の説明図
【図２７】図２６のプリンタイメージ画面に設定したＰＣ画面領域の黒データ変換の手動処理のフローチャート
【図２８】プリンタイメージ画面に設定したＰＣ画面領域の黒データ変換の自動処理を実現するプロジェクタ装置の説明図
【図２９】プリンタイメージ画面に設定したＰＣ画面領域の黒データ変換の自動処理のフローチャート
【符号の説明】
１０：パーソナルコンピュータ
１２，１００：プロジェクタ装置
１４，３６：ＭＰＵ
１５：スクリーン
１６，３８：ＲＯＭ
１７：ドライバモジュール
１８：ＲＡＭ
２０，４４：フレームメモリ
２２：圧縮部
２４，４０：双方向インタフェース
２６，１３６，１３８：ディスプレイインタフェース
２８：ディスプレイユニット
３０，５８：システムバス
３２，６０：データバス
３４：プリンタ用双方向インタフェースケーブル
４２：復号部
４６：描画コントローラ
４８，１４２：ドライブコントローラ
５０：ディスプレイユニット
５２：液晶パネル（第１液晶パネル）
５４，１５４：ライン電極ドライバ
５６，１５６：データ電極ドライバ
６２，１６２：コントロールユニット
６４：光学ユニット
６６，１１２，１２２，１６６：光源
６８，１１４，１２４，１６８：リフレクタ
７０，１１３，１２３：集光レンズ
７２，１２０，１３０：投影レンズ
７４−１１，７４−ＭＮ：液晶セル
７６：メモリ制御部
７８：タイミング制御部
８０：表示ライン設定部
８２：書込ライン番号検出部
８４：フレーム消去部
９２：ディスプレイ用片方向インタフェースケーブル
１００：プロジェクタ装置
１０２：プリンタイメージ画面
１０４：ＰＣ画面
１０８：第１光学ユニット
１１０：第２光学ユニット
１１５，１２５：光軸
１１６：第１液晶ユニット
１２８：第２液晶ユニット
１３２，１３６：水平旋回モータ
１３４，１３８：垂直旋回モータ
１４０：ディスプレイ・コントローラ
１５２：第２液晶パネル
１６４：黒データ変換領域
１６６，１６８：オートフォーカス機構
１７０：方位センサ
２００，２０４，２１０：反射ミラー
２０２，２０６，２０８，２１２：ダイクロイックミラー
２１４：投影レンズ
【図１】
0003631848.tif 000002
【図２】
0003631848.tif 000003
【図３】
0003631848.tif 000004
【図４】
0003631848.tif 000005
【図５】
0003631848.tif 000006
【図６】
0003631848.tif 000007
【図７】
0003631848.tif 000008
【図８】
0003631848.tif 000009
【図９】
0003631848.tif 000010
【図１０】
0003631848.tif 000011
【図１１】
0003631848.tif 000012
【図１２】
0003631848.tif 000013
【図１３】
0003631848.tif 000014
【図１４】
0003631848.tif 000015
【図１５】
0003631848.tif 000016
【図１６】
0003631848.tif 000017
【図１７】
0003631848.tif 000018
【図１８】
0003631848.tif 000019
【図１９】
0003631848.tif 000020
【図２０】
0003631848.tif 000021
【図２１】
0003631848.tif 000022
【図２２】
0003631848.tif 000023
【図２３】
0003631848.tif 000024
【図２４】
0003631848.tif 000025
【図２５】
0003631848.tif 000026
【図２６】
0003631848.tif 000027
【図２７】
0003631848.tif 000028
【図２８】
0003631848.tif 000029
【図２９】
0003631848.tif 000030